(57)【要約】【課題】隅角にデッドスペースを作ることなく、貯湯タンクをコンパクトに設置することができるとともに、水圧による貯湯タンクの膨らみを防止することができる電気給湯機を提供すること。【解決手段】貯湯タンク１と、該貯湯タンク１の下部に設けられた給水管２と、貯湯タンク１の上部に設けられた給湯管３と、貯湯タンク内の水を加熱する機構を設けられた電気給湯機において、前記貯湯タンク１を直方体形状に形成するとともに、貯湯タンクの外側に補強枠９を設ける。【選択図】図１
2006118760.tif 000002
【特許請求の範囲】
【請求項１】
貯湯タンクと、該貯湯タンクの下部に接続された給水管と、貯湯タンクの上部に接続された給湯管と、貯湯タンク内の水を加熱するヒータとを備えた電気給湯機において、前記貯湯タンクを直方体状に形成するとともに、貯湯タンクの外側にその側壁を周方向に囲む枠体を設けたことを特徴とする電気給湯機。
【請求項２】
枠体を、貯湯タンクの高さ方向下から１／３付近を中心として設置したことを特徴とする請求項１記載の電気給湯機。
【請求項３】
複数の枠体を所定間隔で配設するとともに、各枠体を縦補強材にて連結したことを特徴とする請求項１又は２記載の電気給湯機。
【発明の詳細な説明】
【技術分野】
【０００１】
本発明は電気給湯機に関し、特に、隅角にデッドスペースを作ることなく、貯湯タンクをコンパクトに設置するとともに、水圧による貯湯タンクの膨らみを防止することができる電気給湯機に関するものである。
【背景技術】
【０００２】
従来、深夜電力を用いた電気給湯機では、水道管から供給された水道水を０．０６〜０．２ＭＰａに減圧し、電気給湯機の貯湯タンク内外にて加熱するとともに、この加熱した温水を、直接あるいは別の水道水と混合することにより設定温度に調節し、この温度調節した温水を配管を介して浴室の給湯口や蛇口に供給するように構成されている。
【０００３】
ところで、上記従来の電気給湯機では、通常は数百リットルの貯湯タンクを必要とするため、貯湯タンクは、水圧に強い円筒形が採用される。しかし、この円筒形の貯湯タンクは、その形状から隅角にデッドスペースを作り、結果的に広いスペースを占拠するという問題を抱えている。
【０００４】
そこで、隅角のデッドスペースをなくすため、貯湯タンクを直方体状（角筒形）にする方法があるが、直方体の形状は水圧に対して強度が弱く、一設的には貯湯タンク内上部又は貯湯タンクのすぐ上に大気開放部を設けて、貯湯タンクには低い水圧しか加わらない構造とし、貯湯タンク内の温水をポンプを介して浴室の給湯口や蛇口に供給するようにしている。
しかしながら、この比較的小さな水圧においても直方体状の貯湯タンクでは、貯湯タンクの板厚を薄くするためには補強を施し、貯湯タンクに強度を持たせる必要がある。
補強方法として、貯湯タンクの対向する胴板間に補強部材を溶接手段によって連結する方法がある（例えば、特許文献１参照）。
この場合、補強部材を取り付けない場合と比べ、水圧による膨らみ量を大きく抑えることができるが、貯湯タンク内面を溶接するため、溶接部の応力が大きくなったり、溶接部の耐食性に関して、隙間腐食等の問題に加え、溶接の作業性も悪く信頼性の面でも問題を抱える。
【特許文献１】特開２００３−９０６２６号公報
【発明の開示】
【発明が解決しようとする課題】
【０００５】
本発明は、上記の電気給湯機が有する問題点に監み、隅角にデッドスペースを作ることなく、貯湯タンクをコンパクトに設置するとともに、耐食性に問題なく水圧による貯湯タンクの膨らみを防止することができる電気給湯機を提供することを目的とする。
【課題を解決するための手段】
【０００６】
上記目的を達成するため、本開発の電気給湯機は、貯湯タンクと、該貯湯タンクの下部に接続された給水管と、貯湯タンクの上部に接続された給湯管と、貯湯タンク内の水を加熱するヒータとを備えた電気給湯機において、前記貯湯タンクを直方体状に形成するとともに、貯湯タンクの外側にその側壁を周方向に囲む枠体を設けたことを特徴とする。
【０００７】
この場合において、枠体を、貯湯タンクの高さ方向下から１／３付近を中心として設置することができる。
【０００８】
また、複数の枠体を所定間隔で配設するとともに、各枠体を縦補強材にて連結することができる。
【発明の効果】
【０００９】
本発明の電気給湯機によれば、貯湯タンクと、該貯湯タンクの下部に接続された給水管と、貯湯タンクの上部に接続された給湯管と、貯湯タンク内の水を加熱するヒータとを備えた電気給湯機において、前記貯湯タンクを直方体状に形成するとともに、貯湯タンクの外側にその側壁を周方向に囲む枠体を設けることから、枠体により貯湯タンクを水圧に耐える強度に補強し、貯湯タンク内面の溶接箇所をなくして、溶接部に対する耐食性の問題を解消することができ、これにより、貯湯タンクを設置性に優れた直方体形状に形成し、隅角にデッドスペースを作ることなく、貯湯タンクをコンパクトに設置するとともに、水圧による貯湯タンクの膨らみを防止することができる。
【００１０】
この場合、枠体を、貯湯タンクの高さ方向下から１／３付近を中心として設置することにより、枠体の中心位置を、貯湯タンクにかかる水圧により貯湯タンクが最も膨らむ貯湯タンク全高の１／３付近とすることができ、これにより、貯湯タンクの膨らみ量を最小とするとともに、貯湯タンクの重心を下げて安定させることができる。
【００１１】
また、複数の枠体を所定間隔で配設するとともに、各枠体を縦補強材にて連結することにより、貯湯タンクの横方向の膨らみを枠体により効果的に押さえるとともに、縦方向の膨らみを縦補強材により効果的に抑えることができる。
【発明を実施するための最良の形態】
【００１２】
以下、本発明の電気給湯機の実施の形態を、図面に基づいて説明する。
【実施例１】
【００１３】
図１〜図３に、本発明の電気給湯機の一実施例を示す。
この電気給湯機は、図３に示すように、所要の容量を有するステンレススチール製の貯湯タンク１と、該貯湯タンク１の下部に接続された給水管２と、貯湯タンク１の上部に接続された給湯管３と、貯湯タンク１の下部に設けられた下部ヒータ４とを備え、貯湯タンク１上部の温水をポンプ５によって給湯側に圧送するようになっている。
そして、この電気給湯機は、図１〜図２に示すように、貯湯タンク１を直方体状に形成するとともに、該貯湯タンク１の外側にその側壁を周方向に囲む枠体９を設けている。
【００１４】
電気給湯機には、図３に示すように、貯湯タンク１の水面上に空間部６が設けられており、該空間部６と外側とが蒸気排出管７より連通されている。
貯湯タンク１の水面上の空間部６は、水道管に接続されており、所定高さまで上昇した水位をボールタップ８等で検知し、給水を止めることにより確保することができる。
空間部６に溜まった水は、貯湯タンク１の水位が下がると、給水管２を介して貯湯タンク１に供給される。
【００１５】
枠体９は、図２〜図３に示すように、鉄等の枠材９１を貯湯タンク１の長辺側に、枠材９１同士を繋ぐ枠材９２を貯湯タンク１の短辺側に配設し、枠材９１と枠材９２をボルト９３で繋ぐことにより形成されている。
本実施例では、２個の枠体９を所定間隔で配設するとともに、各枠体９を縦補強材にて連結している。具体的には、上下の枠材９１の中心近くを２本の縦補強材９４にて連結している。
直方体状の貯湯タンク１の変形は、縦方向においては図４（ａ）の点線の如く、そのＡ−Ａ断面に示す横方向においては図４（ｂ）の点線の如く変形する。
このため、補強は縦方向の変形と、Ａ−Ａ断面に示す横方向の変形も配慮して、複数の枠体９を配設する場合には枠体９間を縦補強材９４で結合する。
【００１６】
また、本実施例では、枠体９の位置を、貯湯タンク１にかかる水圧により貯湯タンク１が最も膨らむ貯湯タンク全高の下から１／３付近に配設している。
貯湯タンクの上部や貯湯タンク１のすぐ上が大気圧となるような貯湯タンクにおいては、貯湯タンク側面に加わる力は、図５（ａ）に示す如く、貯湯タンク下部になるにつれて強い圧力が発生し、その最大値は圧力ｐの三角形の重心となる位置（貯湯タンク高さの下１／３）に生じる。
このため、この位置に最大膨らみが発生するので、枠体９を、貯湯タンク１の高さ方向下から１／３付近を中心として設置している。
【００１７】
なお、上記実施例では、枠体９の数を２個で説明したが、枠体９は１個でも３個以上に数を増やしてもよく、貯湯タンク１が必要とする強度に応じて個数を変更することができる。
また、枠体９は、棒状体又は丸若しくは角パイプで構成してもよい。
また、枠体９が複数個の場合の縦補強材９４の数量も任意であり、１個でも複数個でもよく、強度的に十分であれば縦補強材９４を省略することもできる。
さらに、枠体９を貯湯タンク１に溶接等により接合することもできる。
【００１８】
かくして、本実施例の電気給湯機は、貯湯タンク１を直方体状に形成するとともに、貯湯タンク１の外側にその側壁を周方向に囲む枠体９を設けることから、枠体９により貯湯タンク１を水圧に耐える強度に補強し、貯湯タンク１内面の溶接箇所をなくして、溶接部に対する耐食性の問題を解消することができ、これにより、貯湯タンク１を設置性に優れた直方体形状に形成し、隅角にデッドスペースを作ることなく、貯湯タンク１をコンパクトに設置するとともに、水圧による貯湯タンク１の膨らみを防止することができる。
この場合、枠体９を、貯湯タンク１の高さ方向下から１／３付近を中心として設置することにより、枠体９の中心位置を、貯湯タンク１にかかる水圧により貯湯タンク１が最も膨らむ貯湯タンク１全高の１／３付近とすることができ、これにより、貯湯タンク１の膨らみ量を最小とするとともに、貯湯タンク１の重心を下げて安定させることができる。
また、複数の枠体９を所定間隔で配設するとともに、各枠体９を縦補強材９４にて連結することにより、貯湯タンク１の横方向の膨らみを枠体９により効果的に押さえるとともに、縦方向の膨らみを縦補強材９４により効果的に抑えることができる。
【００１９】
以上、本発明の電気給湯機について、その実施例に基づいて説明したが、本発明は上記実施例に記載した構成に限定されるものではなく、例えば、図５（ｂ）に示すような短辺側をＲ状に成形した貯湯タンク１についても適用できるなど、その主旨を逸脱しない範囲において適宣その構成を変更することができる。
【産業上の利用可能性】
【００２０】
本発明の電気給湯機は、隅角にデッドスペースを作ることなく、貯湯タンクをコンパクトに設置するとともに、耐食性に問題なく水圧による貯湯タンクの膨らみを防止できることから、狭小な場所に設置する電機給湯機をはじめとして、各種の電気給湯機に好適に用いることができる。
【図面の簡単な説明】
【００２１】
【図１】本発明の電気給湯器を示し、（ａ）はその斜視図、（ｂ）は枠体の正面図である。
【図２】同実施例の電気給湯器の斜視図である。
【図３】同電気給湯器を示す回路図である。
【図４】貯湯タンクの水圧による変形を示し、（ａ）は縦方向の変形を示す側面図、（ｂ）は横方向の変形を示す（ａ）のＡ−Ａ線断面図である。
【図５】（ａ）は貯湯タンクにかかる圧力分布図を示す説明図、（ｂ）は本発明の構成を適用しうる貯湯タンクの例を示す斜視図である。
【符号の説明】
【００２２】
１    貯湯タンク
２    給水管
３    給湯管
４    下部ヒータ
５    加圧ポンプ
６    空間部
７    蒸気排出管
８    ポールタップ
９    枠体
９１  枠材
９２  枠材
９３  ボルト
９４  縦補強材
【図１】
2006118760.tif 000003
【図２】
2006118760.tif 000004
【図３】
2006118760.tif 000005
【図４】
2006118760.tif 000006
【図５】
2006118760.tif 000007